(57)【要約】【課題】ＦＭスクリーンを取り入れてハイライト部から中間調部までの領域の印刷特性を改善したグラビア印刷版。【解決手段】ハイライト部からシャドウ部までの領域をＦＭスクリーニングしてなるＦＭスクリーン情報と、シャドウ部の領域又は中間調部のシャドウ部寄りからシャドウ部の領域をＡＭスクリーニングしてなるＡＭスクリーン情報とを重ねてなる版情報から作られていることにより、ハイライト部から中間調部までの領域では最少セルがインキの転移が良好に行なわれる所要の大きさに規制されているＦＭスクリーンであり、中間調部から桝目状のＡＭスクリーンを徐々に発生させて、シャドウ部の領域では完全にＡＭスクリーンになること。【選択図】図１
2004243609.tif 000002
【特許請求の範囲】
【請求項１】
版形成前の情報をＦＭスクリーニングして得られたハイライト部からシャドウ部までの領域に対応するＦＭスクリーン情報と、前記版形成前の情報をＡＭスクリーニングしてシャドウ部の領域又は中間調部のシャドウ部寄りからシャドウ部の領域に対応して得られたＡＭスクリーンの最シャドウ部のスクリン線で表示されるＡＭスクリーン情報とを重ねてなる版情報から作られていることにより、
ハイライト部から中間調部までの領域では最少セルがインキの転移が良好に行なわれる所要の大きさに規制されているＦＭスクリーンであり、
中間調部から桝目状のＡＭスクリーンを徐々に発生させて、シャドウ部の領域では完全にＡＭスクリーンになることを特徴とするグラビア印刷版。
【発明の詳細な説明】
【０００１】
【発明の属する技術分野】
本願発明は、ＦＭスクリーンを取り入れてハイライト部から中間調部までの領域の印刷特性を改善したグラビア印刷版に関する。
【０００２】
【従来の技術】
図３は、通常のグラビア版のスクリーン（ＡＭｐｌｉｔｕｄｅ  Ｍｏｄｕｌａｔｉｏｎ  Ｓｃｒｅｅｎ）を示す。グラビア版では、階調表現を網点の大小で表し、ドクターでインキをセルに入れ余分なインキを掻き取る必要があるので、最シャドウ部のスクリン線の面積は２０％〜３０％になる。すなわち、グラビア版では、印刷物のグラデーション０〜１００％に対して版のグラデーションは０〜７５％前後で表現する版として構成される。
グラビア版は、彫刻法によるセルの形成方法と、感光膜塗布・露光・現像・エッチングによるセルの形成方法（以下、エッチング法という）とがあり、彫刻法によるセルの形成方法は、セルが四角錐に形成されるのでハイライト部におけるインキの転移が良好である。エッチング法は、セルが浅い皿状の凹部に形成されるので、セルが非常に小さいハイライト部においてインキがセル内に詰まってしまうことに起因してインキの転移が彫刻法よりも劣っている一方、最シャドウ部のスクリン線の交差部をインキが流れるように欠いて交差部にインキが確実に転移し得るとともに文字の輪郭をギザギザがないアウトラインとすることが出来るメリットがあり、さらに、最シャドウ部のセルも浅いので水性インキを使用する印刷に適している。
【０００３】
【発明が解決しようとする課題】
そこで、エッチング法においてセルが非常に小さいハイライト部におけるインキの転移性の改善が望まれている。
【０００４】
図４はオフセット印刷版やフレキソ印刷版のＡＭスクリーンを示す。図５はオフセット印刷版やフレキソ印刷版のＦＭスクリーンを示す。オフセット印刷版等のスクリーンも階調表現を網点の大小で表すが、グラビア版とは異なりスクリン線が不要なので、印刷物のグラデーション０〜１００％に版のグラデーションが０〜１００％と略正確に対応している。
【０００５】
近年、オフセット印刷やフレキソ印刷の分野では、図４に示す従来のＡＭスクリーン方式に替えて、図５に示すように、階調表現を微小網点の個数で表すＦＭスクリーン（Ｆｒｅｑｕｅｎｃｙ  Ｍｏｄｕｌａｔｉｏｎ  Ｓｃｒｅｅｎ）方式が欧米を中心に実用化されはじめている。スクリーン技術は、微細構造表現力が使用される最小描画ドットの解像度を得られるため、低解像度の出力機であるプリンターやオンデマンド印刷機からの出力においても画像品質向上が期待されているが、グラビア印刷ではドクターでインキをセルに入れ余分なインキを掻き取るためのスクリン線がないので全く適用する試みがなかった。
【０００６】
以下に、オフセット印刷やフレキソ印刷の分野で適用されているスクリーン方式について、日本印刷産業連合会がインターネットに公表しているメリットについて抜粋して列記する。
（１）  ＦＭスクリーンは、スクリーン（図５）のように網点形状が規則的に配列されてはいないので、障害となるようなモアレの発生を避けることができる。スクリーンでは各版にスクリーン角度を設定して出力モアレが最小になるようにしているが、スクリーンでは点が散在しているので出力モアレが生じない。又、スクリーンは、ロゼッタパターンが発生しない。スクリーンではハイライトから中間にかけて、亀甲模様のパターンが出るが、スクリーンではこれが生じない。５色以上の印刷でも線切れが起こらない。
（２）  ＦＭスクリーンは、ハイライトからシャドーまでの全階調にわたって、網点サイズを小さくできるので高解像度の印刷再現ができる。スクリーンは概ね３０％濃度付近までは最小ドットがくっつかないで分布している。
（３）  ＦＭスクリーンは、デンシティージャンプが目立たない。スクリーンで５０％付近の網点で発生するデンシティージャンプ  （濃度の段付き）  は、スクリーンでは目立たない。これはスクリーンは中間付近における網点では隣の点との接触がランダムになるので、濃度の段付きが少なくなるからである。
（４）  ＦＭスクリーンは、色調が鮮やかに表現される。原色に近い色、彩度の高い色がプロセス４色で再現でき、よりリアルな表現効果を発揮できる。
（５）  ＦＭスクリーンは、同じ出力データ容量であればスクリーンよりも高解像にできる。網点同士の間隔を小さくできるから、出力データ容量が同じであればドット径を小さくすることで、スクリーンよりも高解像にできる。スクリーンは最小描画ドットが物理的な解像度になるので、スクリーンより少ない画像データ（スクリーンの３２〜５１％）で済むことが期待できる。又、１７５線のスクリーンと同等の解像度を得るにはドット径を大きくできるので、同じ入力データ量から作成するスクリーンは相対的に小さな画像データ量で済む。このため、大ドット径のスクリーンでスクリーン１７５線相当の品質が実現できれば、製版・出力工程の処理時間や待ち時間の短縮、生産性向上も期待できる。
（６）  ＦＭスクリーンは、最小描画ドットが物理的解像度になりスクリーンよりも高解像度を得やすい。階調数は高精細をスクリーンで実現するために高スクリーン線数では階調数が低下するが、スクリーンはそのようなことがない。
（７）  ＦＭ印刷物はＡＭ印刷物に比較して中間〜シャドー部の調子が上がり，ハイライト〜中間部はＡＭとほぼ同等〜低めに出る。シャドー側のコントラストを表わすＫ値は，全般的にＦＭは小さい。インキベタ濃度は、小ドット径を使用する高精細用途のスクリーンにおいては高スクリーン線数のスクリーンと同様に網部分で高濃度が得にくい。
（８）ＦＭスクリーンのハイライト表現力は、高スクリーン線数と同じく、フィルム出力、刷版焼付け、オフセット平版印刷における湿し水などの影響を受けやすく不利である。校正画像の形成では、理論的にはスクリーンは高スクリーン線数スクリーンよりも適合手段が多い。
（９）ＦＭスクリーンを高品位印刷の用途で利用するには、品質管理が通常のスクリーン１７５線レベルでは成功せず、管理レベルを厳しく突き詰めてはじめてスクリーンによる製版・印刷の品質管理が完成するという。
【０００７】
本願発明は、上述した点に鑑み案出したもので、オフセット印刷等において適用可能なＦＭスクリーンにＡＭスクリン線を付加することにより、エッチング法やレーザー彫刻法により形成されるグラビア版のスクリーンの、セルが非常に小さいハイライト部においてインキがセル内に詰まってしまうことに起因するインキの転移が不良であるという欠点の克服と、最シャドウ部のスクリン線の交差部をインキが流れるように欠いて交差部にインキが確実に転移し得るとともに文字の輪郭をギザギザがないアウトラインとすることが出来ること、最シャドウ部のセルも浅いので水性インキを使用する印刷に適しているという長所の享受と、ハイライト部から中間調部においてスクリーンがスクリーンよりも優れているメリットとして、モアレの発生を回避できること、５色以上の印刷でも線切れが起こらないこと、高解像度の印刷再現ができること、デンシティージャンプが目立たないこと等のメリットが享受できる、グラビア印刷版を提供することを目的としている。
【０００８】
【課題を解決するための手段】
本願発明は、版形成前の情報をＦＭスクリーニングして得られたハイライト部からシャドウ部までの領域に対応するＦＭスクリーン情報と、前記版形成前の情報をＡＭスクリーニングしてシャドウ部の領域又は中間調部のシャドウ部寄りからシャドウ部の領域に対応して得られたＡＭスクリーンの最シャドウ部のスクリン線で表示されるＡＭスクリーン情報とを重ねてなる版情報から作られていることにより、ハイライト部から中間調部までの領域では最少セルがインキの転移が良好に行なわれる所要の大きさに規制されているＦＭスクリーンであり、中間調部から桝目状のＡＭスクリーンを徐々に発生させて、シャドウ部の領域では完全にＡＭスクリーンになることを特徴とするグラビア印刷版を提供するものである。
【０００９】
【発明の実施の形態】
本願発明のグラビア印刷版は、版形成前の情報をＦＭスクリーニングして得られたハイライト部からシャドウ部までの領域に対応するＦＭスクリーン情報と、前記版形成前の情報をＡＭスクリーニングしてシャドウ部の領域又は中間調部のシャドウ部寄りからシャドウ部の領域に対応して得られたＡＭスクリーンの最シャドウ部のスクリン線で表示されるＡＭスクリーン情報とを重ねてなる版情報から作られていることにより、
ハイライト部から中間調部までの領域では最少セルがインキの転移が良好に行なわれる所要の大きさに規制されているＦＭスクリーンであり、
中間調部から桝目状のＡＭスクリーンを徐々に発生させて、シャドウ部の領域では完全にＡＭスクリーンになる。
最少セルがインキの転移が良好に行なわれる所要の大きさとは、具体的には、２５μｍ角位である。
そして、ハイライト部及び中間調部は、最少セル及び最少セルよりもさまざまに大きい方形網点をランダムに発生させかつ濃淡階調度に対応して次第に密集した分布になっている。
そして、シャドウ部については、ドクターの刃を受けるＡＭスクリーンすなわち桝目状のスクリン線となっている。シャドウ部では、セルが一定ピッチで設けられ濃淡階調度に対応してセルの大きさが次第に大きくなっており、スクリン線は次第に幅を狭めている。最シャドウ部では、スクリン線の交点が切れているか、縞鋼板の凸状部の模様と同じに形成されセルの開孔率が高められているのが好ましい。
そして、中間調部からシャドウ部に移行する領域で、デンシティージャンプが目立たないこと及びモアレの発生を回避するために、一般的に芋虫状にランダムに折れ曲がっていりくんだ状態のＦＭスクリン線が桝目状のＡＭスクリン線に領域を有して移行している。
なお、ＦＭスクリーンの種類によっては、中間調部が必ずしも芋虫状にはならないこともある。
【００１０】
本願発明のグラビア印刷版は、被版形成面に対して、例えば、
（１）−感光膜塗布形成−レーザー露光・潜像形成−現像−エッチング−レジスト剥離−耐刷力を付けるメッキの工程、
（２）−アブレーション膜塗布形成−レーザーアブレーション・ネガレジスト形成−エッチング−レジスト剥離−耐刷力を付けるメッキの工程、
（３）−レーザー彫刻機により彫刻−耐刷力を付けるメッキの工程、
のいずれかにより製版し得る。
【００１１】
【実施例】
図１に示す版Ｃ１は、版を形成する前の版情報に対して、最少セルがインキの転移が良好に行なわれる所要の大きさであるようにしてハイライト部からシャドウ部までの領域をＦＭスクリーニングしてなるＦＭスクリーン情報Ａ１（光学情報として図示している）の中間調部のシャドウ部寄りからシャドウ部までの領域に、グラビア版のＡＭスクリーンの最シャドウ部のスクリン線のみの情報Ｂ１（光学情報として図示している）を重畳させて作られていることにより、ハイライト部から中間調部までの領域では純粋にＦＭスクリーンでありザラツキの発生がなく、しかも、最少セルがインキの転移が良好に行なわれる所要の大きさに規制されており、中間調部から桝目状のＡＭスクリーンがＦＭスクリーンがベースに徐々に発生して、シャドウ部の領域では完全にＡＭスクリーンになるグラビア印刷版となっている。
このグラビア印刷版は、シャドー部においてはグラビア印刷に必要な桝目状のＡＭスクリーンでありかつ桝目内にＦＭスクリーンのドットがあり光学濃度が偏重しており印刷物において十分な光学濃度を得られ、シャドー部から中間調部に移行する領域は、桝目状のＡＭスクリーンが徐々に消えてＦＭスクリーンのドットに移行していき、中間調部からハイライト部では、グラビア版のＡＭスクリーンの最シャドウ部のスクリン線を重畳させていないので純粋にＦＭスクリーンであり、しかも最少セルがインキの転移が良好に行なわれる所要の大きさに規制されているからインクの転移が良好で、ＦＭスクリーンの優れている点が得られる。
デジタル版情報をＹ，Ｍ，Ｃの三色に色分解してさらに、ハイライト部からシャドウ部までの領域を、最少セルがインキの転移が良好に行なわれる所要の大きさに規制される改良したプログラムによりＦＭスクリーニングを行なって版情報を得るとともに、改良したＡＭスクリーニングプログラムでＡＭスクリーニングを行なって中間調部のシャドウ部よりからシャドウ部にかけてグラビア版のＡＭスクリーンの最シャドウ部のスクリン線で表示される版情報を得て、両版情報を重畳させて、この版情報に基づいて製版した。
製版は、ポジ型の感光膜を形成した被版形成面を露光してアルカリ現像し、次いで、露出した金属面（銅メッキ面）を塩化第二銅の溶液によりエッチングし次いで強アルカリ液によりレジスト剥離し次いで硬質クロムメッキを設けてなるグラビア版を三色について作成し、グラビア輪転印刷機に取付けて重ね刷り印刷を行ったところ、ハイライト部のインクの転移が良好であり、４５〜５０％前後の濃度においてデンシティージャンプが目立たなかった。高解像度の印刷再現ができた。乾燥負荷が小さく乾燥が円滑に行なわれた。文字の輪郭をギザギザがないアウトラインとすることができた。
【００１２】
【比較例】
図２に示す版Ｃ２は、版を形成する前の版情報に対して、最少セルがインキの転移が良好に行なわれる所要の大きさであるようにしてハイライト部からシャドウ部までの領域をＦＭスクリーニングしてなるＦＭスクリーン情報Ａ１のハイライト部からシャドウ部までの領域に、グラビア版のＡＭスクリーンの最シャドウ部のスクリン線のみの情報Ｂ２を重畳させた版情報で作られているものであり、桝目状のＡＭスクリーンは中間調部から徐々に発生し、シャドウ部の領域では桝目状のＡＭスクリーンが得られグラビア印刷に必要なセルを形成することができてかつ印刷物において十分な光学濃度を得られるが、ハイライト部にもグラビア版のＡＭスクリーンの最シャドウ部のスクリン線のみの情報を重畳させたことに起因するザラツキが顕著に発生し、印刷物の品質が劣ってしまう。
【００１３】
本願発明は、被版形成面としてロールの他、平版を含むものである。
【００１４】
【発明の効果】
以上説明してきたように、本願発明のグラビア印刷版によれば以下の効果を有する。
（１）最少のセルは、インキの転移が良好に行なわれる所要の大きさであるので、エッチング法により形成されるグラビア版のＡＭスクリーンの、セルが非常に小さいハイライト部においてインキがセル内に詰まってしまうことに起因するインキの転移が不良であるという従来の欠点を克服できる。
（２）彫刻機を用いた彫刻法ではなく、感光膜形成−レーザー露光−現像−エッチング法やレーザー彫刻法のグラビア製版方法であるので最シャドウ部のＡＭスクリン線の交差部をインキが流れるように欠いたフリーフローセルとすることができ、交差部にインキが確実に転移し得るとともに文字の輪郭をギザギザがないアウトラインとすることが出来ること、最シャドウ部のセルも浅いので水性インキを使用する印刷に適しているという従来の長所を引き続いて享受できる。その他、オフセット印刷等で享受できたＦＭスクリーンのメリットをグラビア版でも享受できる。
（３）  ハイライト部から中間調部に網目スクリーンがないからザラツキが生じない。ハイライト部から中間調部においてＦＭスクリーンであるので、がＡＭスクリーンよりも優れているメリットが享受できる。すなわち、ハイライト部から中間調部において、モアレの発生を回避できること、５色以上の印刷でも線切れが起こらないこと、高解像度の印刷再現ができること、デンシティージャンプが目立たないこと等のメリットが享受できる。シャドウ部が網目スクリーンがあるのでドクターの掻き取りが保障される。
（４）従来の大きいセルも複数の最少のセルに分割して形成することになるので、インキの膜厚が小さくなり乾燥負荷が小さくなり、より高速な印刷が可能になる。
【図面の簡単な説明】
【図１】本願発明のグラビア印刷版のグラデーションを示す。
【図２】本願発明に到達する前段階で創作したグラビア印刷版のグラデーション（未公知の技術）を示す。
【図３】従来のグラビア版の通常のＡＭスクリーンを示す図。
【図４】従来のオフセット印刷等に用いられる通常のＡＭスクリーンを示す図。
【図５】従来のオフセット印刷等に用いられるＦＭスクリーンを示す図。
【図１】
2004243609.tif 000003
【図２】
2004243609.tif 000004
【図３】
2004243609.tif 000005
【図４】
2004243609.tif 000006
【図５】
2004243609.tif 000007